(57)【要約】【課題】大径の光学系であっても支持可能な十分な強度を確保しつつ、電子素子から発生した熱を効率よく拡散させて外観部の局所的な温度上昇を抑制する。【解決手段】結像光学系を内包するレンズユニットと、金属製の外装カバーと、外装カバーから突出して設けられ、少なくともレンズユニットの一部が緩挿される鏡筒ユニットと、イメージャとイメージャ基板とを有するイメージャユニットと、イメージャユニットが固定され、イメージャの傾き調整を行う金属製のベース部材と、発熱性の電子素子が実装されたメイン基板と、電池を収容する電池室と、金属製の第１の放熱部材と、弾性を有する第２の放熱部材とを有し、イメージャユニットとメイン基板とは光軸と略直交する方向に隣接して配置され、第１の放熱部材はメイン基板と対向して配置され、第２の放熱部材は第１の放熱部材と電子素子との間に挟持され、ベース部材と第１の放熱部材とは熱的に接続される。【選択図】  図５
2014014015.tif 000002
【特許請求の範囲】
【請求項１】
結像光学系を内包するレンズユニットと、
金属製の外装カバーと、
前記外装カバーから突出して設けられ、少なくとも前記レンズユニットの一部が緩挿される鏡筒ユニットと、
イメージャとイメージャ基板とを有するイメージャユニットと、
前記イメージャユニットが固定され、前記イメージャの傾き調整を行う金属製のベース部材と、
発熱性の電子素子が実装されたメイン基板と、
電池を収容する電池室と、
金属製の第１の放熱部材と、
弾性を有する第２の放熱部材と、
を有する撮像装置において、
前記イメージャユニットと前記メイン基板とは光軸と略直交する方向に隣接して配置され、
前記第１の放熱部材は前記メイン基板と対向して配置され、
前記第２の放熱部材は前記第１の放熱部材と前記電子素子との間に挟持され、
前記ベース部材と前記第１の放熱部材とは熱的に接続されることを特徴とする撮像装置。
【請求項２】
前記外装カバーは前記ベース部材に固定され、
前記レンズユニットは前記ベース部材に固定され、
前記鏡筒ユニットは前記外装カバーを介して前記ベース部材に固定され
前記イメージャユニットは、前記ベース部材との間に熱伝導性を有するワッシャを挟持することで傾き調整されることを特徴とする請求項１に記載の撮像装置。
【請求項３】
前記第１の放熱部材と前記外装カバー側面とが弾性を有する第３の放熱部材を介して熱的に接続されており、前記電子素子から前記ベース部材への熱伝達経路とは異なる方向に熱伝導経路を構成することを特徴とする請求項１又は２に記載の撮像装置。
【請求項４】
前記電池室は前記外装カバー前面と前記第１の放熱部材との間に配置され、前記電池は少なくとも前記外装カバー前面と前記第1の放熱部材のどちらか一方と直接対向することを特徴とする請求項１乃至３のいずれかに記載の撮像装置。
【発明の詳細な説明】
【技術分野】
【０００１】
本発明は、電子素子の発熱により外観部が局所的に熱くなるのを防ぐことが可能な撮像装置に関する。
【背景技術】
【０００２】
近年、デジタルカメラの高性能化や多機能化のニーズがますます高まっており、これにより、イメージャの高画素化、駆動及び信号処理の高速化、画像処理の高速化が進んでいる。そのため、それらの機能を受け持つ電子素子の消費電力が増加することで電子素子からの発熱が増大している。デジタルカメラでは発熱により電子素子の温度上昇が生じると、処理の誤動作が起こったり、或いは、デジタルカメラの外観部において、発熱する電子素子に近い部分の温度が局所的に上昇することが問題となる。
【０００３】
高性能化や多機能化と同時にデジタルカメラの小型化や薄型化も望まれている。カメラの小型化・薄型化を進めた結果、発熱する電子素子同士が接近して互いに加熱してしまうおそれがある。特に、イメージャユニットに熱が伝わってイメージャ及びイメージャ回路の温度が上昇すると、暗電流や信号の読み出し等におけるノイズが増加して画質が低下してしまう。また、電子素子と外観部との距離も短くなるため、外観部に伝わる熱量が増加して温度上昇がさらに大きくなってしまう。
【０００４】
これらの問題を解消するための種々の技術が従来より提案されている。例えば、特許文献１に開示の発明では、アルミニウム合金の板材からプレス形成された金属筐体１１の内側に、インサート成形により高熱伝導樹脂のインナー１２を一体成形する。インナー１２は、撮像素子保持板金２１ｂと接触する板バネ１２ｂと、ＩＣ２２ａと接触する板バネ１２ｃとを有する構成としている。
【０００５】
これにより、撮像素子２１ａで発生した熱が撮像素子保持板金２１ｂを介して板バネ１２ｂに伝わると共に、ＩＣ２２ａで発生した熱が板バネ１２ｃに伝わる。板バネ１２ｂ、１２ｃに伝えられた熱がインナー１２の内部を伝わって金属筐体１１に伝わり、金属筐体１１の表面から空気中に効率よく放熱されるとしている。
【０００６】
また、特許文献２に開示の発明では、カメラ本体１のグリップ部８の内部に配置され、カメラ本体１内部の熱源となる電源回路部１７−１で発生した熱が伝導される蓄熱部材９と、グリップ部８から離れたストロボ装置１２側でカメラ本体１の内部に配置され、カメラ本体１内部の熱源となるＣＣＤセンサ等の撮像素子１４で発生した熱が伝導される蓄熱部材１１とを備える構成としている。そして、ストロボ装置１２側での外装カバーの内面と蓄熱部材１１との間の距離を、グリップ部側での外装カバーの内面と蓄熱部材９との間の距離より短くしている。
【０００７】
これにより、電源回路部１７−１で発生した熱は伝熱板１０を介して熱容量の大きい蓄熱部材９に伝導して拡散され、この結果、グリップ部８の内部に配置された電源回路部１７−１での局所的な温度上昇を抑えることができるとしている。また、撮像素子１４で発生した熱は伝熱板１８及び伝熱板１９を介して熱容量の大きい蓄熱部材１１に伝導して拡散され、この結果、撮像素子１４での局所的な温度上昇を抑えることができるとしている。
【０００８】
また、特許文献３に開示の発明では、発熱性の電子部品１２を搭載した発熱性基板１０と、発熱性基板１０よりも発熱量が小さい少なくとも１枚の非発熱性基板３０とを、互いの表面が対向するように略平行に隣接して配置し、発熱性基板１０と非発熱性基板３０の間に双方の基板表面に密着するように熱伝導部材２０を設ける構造としている。発熱性基板は、例えば、固体撮像素子を制御する集積回路などの発熱量の大きい電子部品を少なくとも搭載した基板であり、この基板全体の発熱量が大きく、使用時に高温になりやすいものである。一方、非発熱性基板は、例えば、発熱量が小さい電子回路を搭載するなど、発熱性基板に比べて基板全体の発熱量は小さく、使用時に発熱性基板よりも高温にならないようにした基板である。各基板は、例えば外装ボディ２４などと接続させる構造としている。
【０００９】
これにより、発熱性基板１０によって発生した熱が非発熱性基板３０を通して放熱するため、外装ボディ２４が高温になることを防止できるとしている。
【先行技術文献】
【特許文献】
【００１０】
【特許文献１】特開２０１０−１４１１３３号公報
【特許文献２】特開２０１２−００４７８０号公報
【特許文献３】特許第３５３６８２４号公報
【発明の概要】
【発明が解決しようとする課題】
【００１１】
ところで近年、いわゆる高級コンパクトデジタルカメラと呼ばれる種類のデジタルカメラに対するニーズが非常に高まっている。高級コンパクトデジタルカメラは、レンズ交換式一眼レフデジタルカメラと比べて小型化・薄型化を達成しつつも、一眼レフデジタルカメラに匹敵するような画質を得ることに重点を置いて企画・開発されたデジタルカメラである。一眼レフデジタルカメラのような高画質を得るために、高級コンパクトデジタルカメラには一般的なコンパクトデジタルカメラに採用されているものに対して数倍の大きさを持つイメージャが採用されている。
【００１２】
イメージャの大型化に伴って、イメージャや画像処理用の制御回路等も大型化・複雑化され、また、イメージャの性能を最大限に引き出すために、カメラに搭載される撮像光学系も大径化されることとなる。そのため、高級コンパクトデジタルカメラでは、イメージャ及び回路の大型化・複雑化と、カメラ本体の小型化・薄型化という、相反する目的を達成するために多大な努力が払われている。特に、制御回路の大型化・複雑化に伴って、これらの回路から発生される熱も増大することになるため、高級コンパクトデジタルカメラの開発において熱対策は重要な要素の一つとなっている。
【００１３】
そこで、上記の特許文献を高級コンパクトデジタルカメラに適用した場合を考えると、種々の問題点が存在する。すなわち、特許文献１に開示の発明では、金属筐体１１の内側に樹脂製のインナー１２をインサート成形しているため、大径で重い撮像光学系を搭載する場合に、カメラ外観の強度を高める目的で金属製の補強部材を取り付けることが難しく、カメラ外観のたわみや光軸のずれが発生するおそれがある。
【００１４】
また、特許文献２に開示の発明では、グリップ部８の内部に配置されたアルミニウムから成る蓄熱部材９と外装カバー２０との間に空間２３を設けている。このため、蓄熱部材９に蓄熱される熱はカメラ外部に伝わることなくカメラ内に閉じ込められるが、高級コンパクトデジタルカメラに実装されるような複雑な制御回路から発生される大きな熱を全て蓄えるだけの熱容量を確保することは難しい。カメラの内部には空気の対流はないため、蓄熱部材９は自然放熱することができず、一定の温度になるとそれ以上の熱を蓄えることができなくなる。その結果、熱源である電源回路部１７−１で発生する熱が十分に拡散されないため、電源回路部１７−１の温度が上昇して故障や誤動作が発生するおそれがある。
【００１５】
また、特許文献３に開示の発明では、外観へ熱を移動するようにするために、発熱量の異なる２種類の基板を用いている。そのため、２種類の基板の間で発熱量が大きく異なるように電子部品の種類や配置を工夫する必要が生じ、回路基板の設計自由度が低下してしまう。高級コンパクトデジタルカメラでは大型化・複雑化された回路基板をカメラ内にできるだけコンパクトに収容する必要があるため、設計自由度の低下は大きな問題となる。
【００１６】
本発明はこのような状況に鑑みてなされたものであり、大径の光学系であっても支持可能な十分な強度を確保しつつ、電子素子から発生した熱を効率よく拡散させて外観部の局所的な温度上昇を抑制することが可能な撮像装置を提供することを目的とする。
【課題を解決するための手段】
【００１７】
上記目的を達成するために、本発明を実施の撮像装置は、結像光学系を内包するレンズユニットと、金属製の外装カバーと、外装カバーから突出して設けられ、少なくともレンズユニットの一部が緩挿される鏡筒ユニットと、イメージャとイメージャ基板とを有するイメージャユニットと、イメージャユニットが固定され、イメージャの傾き調整を行う金属製のベース部材と、発熱性の電子素子が実装されたメイン基板と、電池を収容する電池室と、金属製の第１の放熱部材と、弾性を有する第２の放熱部材とを有し、イメージャユニットとメイン基板とは光軸と略直交する方向に隣接して配置され、第１の放熱部材はメイン基板と対向して配置され、第２の放熱部材は第１の放熱部材と電子素子との間に挟持され、
ベース部材と第１の放熱部材とは熱的に接続されることを特徴とする。
【００１８】
さらに本発明を実施の撮像装置は、上記発明において、外装カバーはベース部材に固定され、レンズユニットはベース部材に固定され、鏡筒ユニットは外装カバーを介してベース部材に固定されイメージャユニットは、ベース部材との間に熱伝導性を有するワッシャを挟持することで傾き調整されることを特徴とする。
【００１９】
さらに本発明を実施の撮像装置は、上記発明において、第１の放熱部材と外装カバー側面とが弾性を有する第３の放熱部材を介して熱的に接続されており、電子素子からベース部材への熱伝達経路とは異なる方向に熱伝導経路を構成することを特徴とする。
【００２０】
さらに本発明を実施の撮像装置は、上記発明において、電池室は外装カバー前面と第１の放熱部材との間に配置され、電池は、少なくとも外装カバー前面と第1の放熱部材のどちらか一方と直接対向することを特徴とする。
【発明の効果】
【００２１】
本発明を実施の撮像装置によれば、大径の光学系であっても支持可能な十分な強度を確保しつつ、電子素子から発生した熱を効率よく拡散させて外観部の局所的な温度上昇を抑制でき、発熱量の大きな画像処理ＩＣ及びイメージャを光軸と概ね直交する方向に隣接して配置しながらも、一方で発生した熱が他方に伝達するのを防止でき、さらに、熱の伝達経路を利用して電池を温めることで、低温環境下での電池の容量低下を抑えることができる。
【図面の簡単な説明】
【００２２】
【図１】本発明の一実施形態であるデジタルカメラの背面側外観を示す斜視図である。
【図２】図１に示したデジタルカメラの主要な内部構造を示す分解斜視図である。
【図３】光軸側の分解・取付状況を説明するための分解斜視図である。
【図４】メイン基板側の分解・取付状況を説明するための分解斜視図である。
【図５】デジタルカメラ内の熱の流れを説明するための断面図である。
【発明を実施するための形態】
【００２３】
以下、添付の図面に従って、本発明を実施するための最良の形態について説明する。なお、この実施の形態により本発明が限定されるものではない。
【００２４】
図１に示す斜視図には、本発明の一実施形態であるデジタルカメラ１００の背面側外観が示されている。デジタルカメラ１００は、図１に示すように、その上面に、カメラ上面側の外観を形成するトップカバー１１０と、レリーズボタン１１１と、コマンドダイヤル１１２と、電源ボタン１１３と、モードボタン１１４と、ホットシュー１１５とを備えている。
【００２５】
ユーザがレリーズボタン１１１を半押しすることで公知のＡＦ機能が動作し、所望する被写体に合焦する。続けてレリーズボタン１１１を全押しすることで、あらかじめ設定された撮影条件での撮像が行われ、メモリーカード等の不図示の記録媒体に撮影された画像データが記録される。
【００２６】
コマンドダイヤル１１２は、回動可能なダイヤル式のスイッチで構成されている。ユーザは、コマンドダイヤル１１２を回動させることで、所定のパラメータや撮影モードを変更することができる。
【００２７】
モードボタン１１４は、上述したコマンドダイヤル１１２の回動により変化されるパラメータや機能を切り替える。具体的には、モードボタン１１４を押すことにより、コマンドダイヤル１１２で露出モードの変更を行えるようになる。露出モードの種類には、例えば、静止画を撮影するモードと、動画を撮影するモードとがある。静止画用のモードとしては、撮影条件を自動で決定するオートモードの他に、マニュアルモード、絞り優先オートモード、シャッタスピード優先オートモード等がある。
【００２８】
ホットシュー１１５には、外部ストロボや外付けファインダー等のカメラ用アクセサリーを取り付けることができ、これにより、環境光の不足により撮影が難しい条件においても、撮影が可能となる。
【００２９】
デジタルカメラ１００の前面には、カメラ前面側の外観部を形成するフロントカバー１２０と、フロントカバー１２０から突出して配置された鏡筒ユニット１３０とを備えている。この結像光学系によって、被写体からの光を不図示の撮像素子に結像させることで、被写体画像が撮像され、電子データとして取得される。
【００３０】
デジタルカメラ１００の背面には、カメラ背面側の外観を形成するリアカバー１４０と、ＬＣＤ表示装置１４１と、背面操作部材１４２とが備えられている。背面操作部材１４２は、十字ボタンとＯＫボタンの他にも、削除ボタンと、ＱＳボタンと、メニューボタンと、再生ボタンと、ディスプレイボタンとから構成されている。十字ボタンは、上下左右の４つの方向キーで構成されている。これらの方向キーを使用することによって、ユーザはＬＣＤ表示装置１３１に表示される種々のメニュー間の移動や選択等の操作を行うことが可能となる。
【００３１】
図２は、図１のデジタルカメラ１００において、トップカバー１１０を含む上面を構成するユニットとリアカバー１４０を含む背面側を構成するユニットとを取り除いた分解斜視図である。
【００３２】
本発明を実施のデジタルカメラ１００は、図２に示すようにイメージャユニット２１０とメイン基板２２０とが、結像光学系の光軸と概ね直交する方向に隣接して配置されている。イメージャユニット２１０とメイン基板２２０とは不図示のフレキシブルプリント基板により電気的に接続されている。メイン基板２２０には種々の電子素子が実装されており、特に、メイン基板２２０のフロント側表面には、図５の断面図に示すように、デジタルカメラ１００全般の制御を行うメインＣＰＵ２２１と取得された画像データに対して画像処理を行う画像処理ＣＰＵ２２２とが実装されている。
【００３３】
これらの電子素子は、デジタルカメラ１００駆動中の発熱量が特に大きいものであり、特許請求の範囲に記載の発熱性の電子素子に該当する。以降では、メインＣＰＵ２２１と画像処理ＣＰＵ２２２を総称して発熱性電子素子と呼ぶこととする。
【００３４】
メイン基板２２０には不図示のメモリーカードを収容するためのカードモジュール２２３も実装されている。また、メイン基板２２０のフロント側には、デジタルカメラ１００に電力を供給する電池２３１を収容するための電池室２３０が設けられている。デジタルカメラ１００の底面には、ユーザがこれらの電池室２３０及びカードモジュール２２３にアクセスするための電池蓋ユニット２４０が設けられている。
【００３５】
図３ａ乃至図３ｃは、光軸側の各ユニットの分解・取付状況を説明するための分解斜視図である。イメージャユニット２１０は、図３ａに示すように金属製のベース部材２５０に対して、リア側からネジで３箇所固定されている。これらのネジは、ベース部材２５０とイメージャユニット２１０との間に金属製のワッシャ２５１を挟み込んでいる。これらのワッシャ２５１の枚数若しくは厚みを適切に調節することによって、ベース部材２５０に対するイメージャユニット２１０の傾きを調整することが可能となっている。
【００３６】
レンズユニット２６０は、図３ｂに示すようにフロントカバー１２０に設けられている開口にリア側から挿入され、金属製のベース部材２５０に対して、リア側からネジで３箇所固定されている。この状態で、レンズユニット２６０のフロント側の一部がフロントカバー１２０より被写体側に突出している。このレンズユニット２６０は結像光学系を保持し、デジタルカメラ１００のフォーカス動作又はズーム動作に応じて結像光学系の所定のレンズを光軸方向に進退させる。
【００３７】
アクチュエータユニット２６１は、このフォーカス動作又はズーム動作のための駆動源として働き、メイン基板２２０の所定の電子素子と不図示のフレキシブルプリント基板により電気的に接続されている。なお、本発明を実施のデジタルカメラ１００に実装される結像光学系は単焦点レンズであるため、このアクチュエータユニット２６１はフォーカスモータとして機能する。
【００３８】
鏡筒ユニット１３０は、図３ｃに示すように、デジタルカメラ１００のフロントカバー１２０から被写体側に突出しており、金属製のベース部材２５０に対して、リア側からネジで３箇所固定されている。このとき、鏡筒ユニット１３０とベース部材２５０との間にはデジタルカメラ１００のフロントカバー１２０が挟まれている。この鏡筒ユニット１３０によってレンズユニット２６０の被写体側に突出した部分が覆い隠されている。
【００３９】
鏡筒ユニット１３０の外周面には回転自在に保持されたフォーカス操作リング１３１が設けられている。また、鏡筒ユニット１３０内には不図示の検出センサが設けられており、メイン基板２２０の所定の電子素子と不図示のフレキシブルプリント基板により電気的に接続されている。ユーザの回転操作によってフォーカス操作リング１３１が回転されると、検出センサによって回転量が検出され、メイン基板２２０上の所定の電子素子によってアクチュエータユニット２６１の駆動量が算出される。これにより、フォーカス操作リング１３１の回転量に対応した分だけレンズユニット２６０内のフォーカスレンズが駆動され、被写体へのピント調整が行われる。
【００４０】
また、フロントカバー１２０は、金属製のベース部材２５０に対してフロント側からネジで３箇所固定されている。上述したように、フロントカバー１２０は鏡筒ユニット１３０とベース部材２５０との間に挟まれるようにして固定されているが、本発明を実施のデジタルカメラ１００では、フロントカバー１２０をベース部材２５０に直接固定するようにもしている。
【００４１】
このように、本発明を実施のデジタルカメラ１００では、イメージャユニット２１０、レンズユニット２６０、鏡筒ユニット１３０、そしてフロントカバー１２０が概ね円環形状のベース部材２５０に対してそれぞれ直接固定される構成としている。すでに述べたように、いわゆる高級コンパクトデジタルカメラではイメージャの大型化、結像光学系の大口径化、そしてメイン基板の大型化が行われているが、結像光学系の光軸上に位置する各ユニットを、金属製の強固なベース部材２５０に直接固定する構成とすることによって、自重による結像光学系の倒れを防ぐのに十分な支持強度が確保できる。さらに、ベース部材２５０とイメージャユニット２１０との間でイメージャユニット２１０の傾き調整を行うようにしているので、結像光学系の光軸とイメージャのアライメントが高い精度で確保できる。
【００４２】
図４は、図３ｃに示したデジタルカメラ１００において、メイン基板２２０側の分解・取付状況を説明するための分解斜視図である。メイン基板２２０は、メイン基板２２０のフロント側に配置されている電池室２３０に対してリア側からネジで３箇所固定されている。
【００４３】
メイン基板２２０と電池室２３０との間には、図４に示すように銅板３０１が配置されている。この銅板３０１は、イメージャユニット２１０寄りに設けられた取付部３０１ａにおいて、ベース部材２５０に対してネジで固定されている。また、銅板３０１のカメラ側面寄りに設けられた位置決め部３０１ｂにおいて、電池室２３０に対して位置決めされている。
【００４４】
銅板３０１のリア側表面には弾性を有する熱伝導性シート３０２が２つ配置されている。この熱伝導性シート３０２は、メイン基板２２０のフロント側表面に実装された発熱性電子素子であるメインＣＰＵ２２１と画像処理ＣＰＵ２２２それぞれに対応する位置に配置されており、これらの発熱性電子素子と銅板３０１との間に挟まれるようにして固定されている。固定に際しては、表面に粘着性を有する熱伝導性シート３０２を用いてもよいし、熱伝導性を有する両面粘着テープを用いて接着してもよい。
【００４５】
また、銅板３０１のカメラ側面寄りの端部には押圧部３０１ｃが設けられている。押圧部３０１ｃと連結板２７０との間には弾性を有する熱伝導性ラバー３０３が位置しており、連結板２７０に対して押圧部３０１ｃが熱伝導性ラバー３０３を押圧している。連結板２７０にはフロントカバー１２０の側面部分とリアカバー１４０の側面部分とがそれぞれネジで固定されており、これによりデジタルカメラ１００の外観が形成されている。銅板３０１の押圧部３０１ｃはリア側に折り曲げられており、熱伝導性ラバー３０３との接触面積が広くなるような形状となっている。
【００４６】
なお、銅板３０１は特許請求の範囲に記載の第１の放熱部材に該当しており、熱伝導性シート３０２は特許請求の範囲に記載の第２の放熱部材に該当しており、熱伝導性ラバー３０３は特許請求の範囲に記載の第３の放熱部材に該当している。
【００４７】
以上で説明した構成のデジタルカメラ１００において、メイン基板２２０に実装された発熱性電子素子で発生した熱がどのような経路で伝達されていくかを、図５を用いて説明する。図５はデジタルカメラ１００の断面図であり、説明のために熱の伝達を模式的に示す矢印を記入してある。
【００４８】
発熱性電子素子（本実施例ではメインＣＰＵ２２１及び画像処理ＣＰＵ２２２）で発生した熱は、発熱性電子素子のフロント側に密着されている熱伝導性シート３０２に流入し、さらに、この熱伝導性シート３０２と密着されている銅板３０１に流入する。銅板３０１はプレス加工等により成形された厚みの薄い部材であるが、銅製であるために高い熱伝導率を有している。そのため、銅板３０１自体の熱容量がそれ程大きくはないが、流入してきた熱を効率よく拡散させることが可能となっている。
【００４９】
銅板３０１はベース部材２５０とネジによって直接固定されており、両部材は熱的に接続された状態となっている。上述したようにベース部材２５０は金属製であり、また、イメージャユニット２１０等の複数のユニットを支持固定する強度を得るためにある程度の体積を有している。そのため、ベース部材２５０自体の熱容量が大きく、ネジによって熱接続された銅板３０１から流入する熱を多く溜め込むことが可能となっている。
【００５０】
さらに、このベース部材２５０はデジタルカメラ１００のフロントカバー１２０とネジによって直接固定されており、熱的に接続されているため、ベース部材２５０に蓄積された熱の一部は順次フロントカバー１２０に流入する。フロントカバー１２０はプレス加工等により成形された厚みの薄い金属部材であるが、デジタルカメラ１００の前面ほぼ全てを覆う大きさを有しているため熱容量が大きい。また、広い表面積を有しているため、外気への放熱が効率的に行われることになる。
【００５１】
一方、銅板３０１と連結板２７０との間には熱伝導性ラバー３０３が挟み込まれており、銅板３０１は金属製の連結板２７０と熱的に接続されている。この連結板２７０はフロントカバー１２０及びリアカバー１４０とネジで固定されている。そのため、銅板３０１に流入した発熱性電子素子の熱は、デジタルカメラ１００の側面側からフロントカバー１２０とリアカバー１４０とに流入することになるので、外気への放熱が効率的に行われる。
【００５２】
すなわち、本発明を実施のデジタルカメラ１００では、発熱性電子素子で発生した熱は、発熱性電子素子よりも光軸寄りに設けられた金属製のベース部材２５０を介してフロントカバー１２０から外気へ放熱されると同時に、光軸とは反対の方向、すなわちデジタルカメラ１００の側面側に設けられた熱伝導性ラバー３０３を介してフロントカバー１２０及びリアカバー１４０から外気へ放熱されている。これにより、より多くの熱を効率よく外気へ放熱することが可能となっている。
【００５３】
上述したように、電池２３１を収納する電池室２３０は銅板３０１とフロントカバー１２０との間に位置しており、さらに、フロントカバー１２０とは隣接している。電池２３１はデジタルカメラ１００の長手方向と平行な向きに収納されており、銅板３０１とも平行となっている。電池室２３０は樹脂製の成形品であり、図４にも示されているように、フロントカバー１２０と銅板３０１にそれぞれ対向する面は開放面となっており、電池２３１がフロントカバー１２０と銅板３０１とに直接対向されている。
【００５４】
デジタルカメラ１００に利用される電池２３１は、一般的に低温時に容量が低下するという性質を有しており、スキー場等での使用時に撮影枚数が著しく減少してしまうという問題が発生することがある。そこで、本発明を実施のデジタルカメラ１００では上記の構成とすることで、フロントカバー１２０と銅板３０１からの放射熱が電池２３１に到達し、電池２３１の温度低下を抑えることが可能となっている。
【００５５】
このように、発熱性電子素子で発生した熱で電池２３１を直接温めるのではなく、熱の伝達経路を形成する銅板３０１及びフロントカバー１２０に流入した熱を利用して電池２３１を温める構成としたことで、電池２３１の局所的な温度上昇や、電池２３１全体の必要以上の加熱という事態が生じることがない。
【００５６】
大型のイメージャを備える高級コンパクトデジタルカメラでは、イメージャ本体からの発熱についても適切に放熱する必要がある。上述したように、イメージャ本体を搭載するイメージャユニット２１０はベース部材２５０に対して金属製のワッシャ２５１を介してネジで固定されている。そのため、イメージャ本体で発生した熱はイメージャユニット２１０を介してベース部材２５０に流入することになり、その後はフロントカバー１２０に流入して外気へ放熱される。
【００５７】
上述したようにベース部材２５０は大きな熱容量を有しているので、駆動して上昇したイメージャ本体温度をベース部材２５０の温度が上回ることはない。すなわち、常にイメージャユニット２１０からベース部材２５０に熱が流入するような温度勾配となっているため、ベース部材２５０からイメージャユニット２１０に熱が逆流することはない。これにより、本発明を実施のデジタルカメラ１００のように、カメラの主要な熱源である発熱性電子素子を実装したメイン基板２２０とイメージャ本体を搭載したイメージャユニット２１０とを光軸と概ね直交する方向に隣接して配置する構成において、一方の熱源からベース部材２５０に流入した熱が他方の熱源に流入し、悪影響を与えるということは起こらない。
【００５８】
なお、上述した実施例において、発熱性電子素子をメインＣＰＵ２２１と画像処理ＣＰＵ２２２の２つとし、これらの素子にそれぞれ熱伝導性シート３０２（第２の放熱部材）を接触させる構成としたが、これらの個数はこれに限られるものではない。ただし、熱伝導性シート３０２の数はフロント側に実装される発熱性電子素子の数と等しいのが好ましい。
【００５９】
また、銅板３０１に流入した熱は熱伝導性ラバー３０３と連結板２７０を介してフロントカバー１２０の側面部分へと移動することとしたが、連結板２７０を介さずに熱伝導性ラバー３０３を直接フロントカバー１２０に密着させることで熱経路を構成してもよい。
【００６０】
また、電池室２３０と銅板３０１、若しくは電池室２３０とフロントカバー１２０との間に熱伝導性を有する部材を配置した構成としてもよい。このような部材としては、例えば、カメラ本体の強度向上や静電気対策を目的とした金属板等が考えられる。熱伝導性を有する部材であれば、銅板３０１やフロントカバー１２０に流入した熱が電池２３１に伝わるので、低温時の電池２３１の性能低下を防ぐことが可能である。
【００６１】
以上で説明したように、本発明を実施のデジタルカメラ１００によれば、大径の光学系であっても支持可能な十分な強度を確保しつつ、電子素子から発生した熱を効率よく拡散させて外観部の局所的な温度上昇を抑制でき、発熱量の大きな画像処理ＩＣ及びイメージャを光軸と概ね直交する方向に隣接して配置しながらも、一方で発生した熱が他方に伝達するのを防止でき、さらに、熱の伝達経路を利用して電池を温めることで低温環境下での電池の容量低下を抑えることができる。
【符号の説明】
【００６２】
１００  デジタルカメラ、１１０  トップカバー、１１１  レリーズボタン、１１２  コマンドダイヤル、１１３  電源ボタン、１１４  モードボタン、１１５  ホットシュー、１２０  フロントカバー、１３０  鏡筒ユニット、１３１  フォーカス操作リング、１４０  リアカバー、１４１  ＬＣＤ表示装置、１４２  背面操作部材、２１０  イメージャユニット、２２０  メイン基板、２２１  メインＣＰＵ、２２２  画像処理ＣＰＵ、２２３  カードモジュール、２３０  電池室、２３１  電池、２４０  電池蓋ユニット、２５０  ベース部材、２５１  ワッシャ、２６０  レンズユニット、２６１  アクチュエータユニット、２７０  連結板、３０１  銅板、３０１ａ  取付部、３０１ｂ  位置決め部、３０１ｃ  押圧部、３０２  熱伝導性シート
【図１】
2014014015.tif 000003
【図２】
2014014015.tif 000004
【図３ａ】
2014014015.tif 000005
【図３ｂ】
2014014015.tif 000006
【図３ｃ】
2014014015.tif 000007
【図４】
2014014015.tif 000008
【図５】
2014014015.tif 000009